(57)【特許請求の範囲】
【請求項１】
入金された紙幣を取り込んで金種別に複数の紙幣収納庫に収納し、出金指示によって前記紙幣収納庫から収納紙幣を払い出す紙幣処理装置であって、
紙幣交換モードあるいは入金紙幣回収モードを選択する操作部と、
入金された紙幣の真贋及び金種を判別する鑑別部と、
前記紙幣交換モードが選択され、かつ、入金された紙幣が正貨である場合、前記入金された紙幣と同額の紙幣を収納する紙幣収納庫以外の紙幣収納庫に前記入金された紙幣を一時収納し、その後、前記入金された紙幣と同額の紙幣を収納する紙幣収納庫から出金し、その後、前記入金された紙幣を釣り紙幣として出金せず回収のみを行う回収領域に収納する制御部と、
を備えたことを特徴とする紙幣処理装置。
【請求項２】
入金された紙幣を取り込んで金種別に複数の紙幣収納庫に収納し、出金指示によって前記紙幣収納庫から収納紙幣を払い出す紙幣処理装置であって、
紙幣交換モードあるいは入金紙幣回収モードを選択する操作部と、
入金された紙幣の真贋及び金種を判別する鑑別部と、
前記入金紙幣回収モードが選択され、かつ、入金された紙幣が正貨である場合、前記入金された紙幣を前記紙幣収納庫に一時収納し、その後、釣り紙幣として出金せず回収のみを行う回収領域に収納する制御部と、
を備えたことを特徴とする紙幣処理装置。
【請求項３】
前記回収領域は、外部に取り出し可能な回収庫であることを特徴とする請求項１又は２に記載の紙幣処理装置。
【発明の詳細な説明】
【技術分野】
【０００１】
本発明は、入金された紙幣を取り込んで金種別に複数の紙幣収納庫に収納し、入出金指示によって前記紙幣収納庫から収納紙幣を払い出す紙幣処理装置に関し、特に、簡易な構成で、汚れや切れや皺等がある汚損紙幣を釣銭として出金しないようにする紙幣処理装置に関する。
【背景技術】
【０００２】
昨今のスーパーマーケットやコンビニエンスストア等の店舗には、客さばきや現金管理の厳正化のため、自動釣銭機として貨幣処理機が設置されている。この貨幣処理機は、通常、ＰＯＳ（Point Of Sales）レジスタ装置等の上位装置に接続されており、上位装置からの指令に応じて硬貨や紙幣等の金銭の入出金処理を行うものである（特許文献１参照）。
【先行技術文献】
【特許文献】
【０００３】
【特許文献１】特開２０１０−２７２１４０号公報
【特許文献２】特開２０１５−２６２２９号公報
【発明の概要】
【発明が解決しようとする課題】
【０００４】
ところで、顧客が支払として差し出した紙幣が、汚れがひどかったり、切れていたり、クシャクシャで皺が寄っている汚損紙幣である場合、店側としては顧客に汚損紙幣の交換を要求することができず、この汚損紙幣を受け取って紙幣処理装置に入金し、金銭授受の処理を行う。なお、顧客から受け取った汚損紙幣の切れが大きい紙幣の場合、そのまま紙幣処理装置に入金すると、詰まりの原因となるため、ＰＯＳレジスタ毎に非常用として保管してある紙幣と交換して入金する場合もある。
【０００５】
ここで、顧客が差し出した汚損紙幣が千円紙幣であり、非常用の紙幣と交換せずに紙幣処理装置に入金された場合、この顧客の後の顧客が支払として差し出した紙幣が高額紙幣（一万円紙幣）であって、釣銭に千円紙幣がある場合には、先の顧客が支払った汚損紙幣（千円紙幣）が釣銭として出金されてしまう。
【０００６】
このため、汚損紙幣の汚損度にもよるが、店員が、釣銭として汚損紙幣を顧客に渡すことは失礼であると判断した場合であって、非常用の紙幣がＰＯＳレジスタ毎に保管していない場合、店員は、汚損紙幣をサービスカウンター等で交換する。このサービスカウンター等での交換は、現在の顧客のみならず、後続の顧客を待たせることになる。一方、店員が、そのまま汚損紙幣を釣銭として顧客に渡すことは、店に対する印象を悪化させることになる。
【０００７】
なお、特許文献２には、入金時に基準以上の汚れ等を検出した場合、釣銭として出金しない自動取引装置が記載されている。この自動取引装置では、基準以上の汚れ等を検出するために、入金された紙幣を広範囲で監視しなければならず、センサ等が複雑かつ大型化してコストがかかってしまう。
【０００８】
本発明は、上記に鑑みてなされたものであって、簡易な構成で、汚れや切れや皺等がある汚損紙幣を釣銭として出金しないようにする紙幣処理装置を提供することを目的とする。
【課題を解決するための手段】
【０００９】
上述した課題を解決し、目的を達成するために、本発明にかかる紙幣処理装置は、入金された紙幣を取り込んで金種別に複数の紙幣収納庫に収納し、入出金指示によって前記紙幣収納庫から収納紙幣を払い出す紙幣処理装置であって、紙幣交換モードあるいは入金紙幣回収モードを選択する操作部と、入金された紙幣の真贋及び金種を判別する鑑別部と、前記紙幣交換モードあるいは前記入金紙幣回収モードが選択され、かつ、入金された紙幣が正貨である場合、少なくとも、前記入金された紙幣を釣銭として出金せず回収のみを行う回収領域に収納する制御部と、を備えたことを特徴とする。
【００１０】
また、本発明にかかる紙幣処理装置は、上記の発明において、前記制御部は、前記紙幣交換モードが選択され、かつ、入金された紙幣が正貨である場合、前記入金された紙幣を釣銭として出金せず回収のみを行う回収領域に収納し、その後、前記入金された紙幣と同額の紙幣を前記紙幣収納庫から出金して該入金された紙幣の交換を行うことを特徴する。
【００１１】
また、本発明にかかる紙幣処理装置は、上記の発明において、前記制御部は、前記紙幣交換モードが選択され、かつ、入金された紙幣が正貨である場合、前記入金された紙幣と同額の紙幣を収納する紙幣収納庫以外の紙幣収納庫に前記入金された紙幣を一時収納し、その後、前記入金された紙幣と同額の紙幣を収納する紙幣収納庫から出金し、その後、前記入金された紙幣を前記回収領域に収納することを特徴とする。
【００１２】
また、本発明にかかる紙幣処理装置は、上記の発明において、前記制御部は、前記入金紙幣回収モードが選択され、かつ、入金された紙幣が正貨である場合、前記入金された紙幣を前記紙幣収納庫に一時収納し、その後、前記回収領域に収納することを特徴とする。
【００１３】
また、本発明にかかる紙幣処理装置は、上記の発明において、前記回収領域は、外部に取り出し可能な回収庫であることを特徴とする。
【発明の効果】
【００１４】
本発明によれば、紙幣交換モードあるいは入金紙幣回収モードが選択され、かつ、入金された紙幣が正貨である場合、少なくとも、入金された紙幣を釣銭として出金せず回収のみを行う回収領域に収納するようにしているので、簡易な構成で、汚れや切れや皺等がある汚損紙幣を釣銭として出金しない紙幣処理装置を実現できる。
【図面の簡単な説明】
【００１５】
【図１】図１は、本発明の実施の形態である紙幣処理装置を含む貨幣処理装置の構成を示す斜視図である。
【図２】図２は、紙幣処理装置の構成を模式的に示した断面図である。
【図３】図３は、図１に示した紙幣処理装置の制御系を示すブロック図である。
【図４】図４は、制御部による紙幣交換モード処理手順を示すフローチャートである。
【図５】図５は、入金された汚損紙幣が千円紙幣である場合における紙幣交換モード処理を説明する模式図である。
【図６】図６は、制御部による入金紙幣回収モード処理手順を示すフローチャートである。
【図７】図７は、制御部による紙幣交換モード処理手順の変形例を示すフローチャートである。
【図８】図８は、入金された汚損紙幣が千円紙幣である場合における紙幣交換モード処理の変形例を説明する模式図である。
【発明を実施するための形態】
【００１６】
以下、添付図面を参照してこの発明を実施するための形態について説明する。
【００１７】
（貨幣処理装置の構造）
図１は、本発明の実施の形態である紙幣処理装置を含む貨幣処理装置１の構成を示す斜視図である。また、図２は、紙幣処理装置１ａの構成を模式的に示した断面図である。さらに、図３は、図１に示した紙幣処理装置１ａの制御系を示すブロック図である。
【００１８】
図１に示すように、貨幣処理装置１は、紙幣処理装置１ａと硬貨処理装置１ｂとが併設されている。紙幣処理装置１ａは、前面に、紙幣を投入する紙幣投入口１１、及び、収納されている紙幣を釣銭として出金する紙幣払出口１２を有する。また、紙幣処理装置１ａの前面下部には、引き出し可能な状態で設けられた回収庫１３の前部が設けられる。回収庫１３は、紙幣処理装置１ａ内部に設けられた図示しない紙幣収納庫に保管された紙幣を外部に回収する場合、及び、汚れや切れや皺等がある汚損紙幣を収納し、外部に回収する場合に用いられる。
【００１９】
硬貨処理装置１ｂの前端上面の右側に硬貨投入口２１を備え、前端上面の左側に表示部２２及び操作部２３を有する。また、硬貨処理装置１ｂの前面左側には、硬貨出金口２４が設けられる。硬貨出金口２４から排出された硬貨は受け皿２５で受け止められる。また、硬貨処理装置１ｂの前面右側には、硬貨返却口２６を備える。
【００２０】
（紙幣処理装置の構成及び概要動作）
図２に示すように、紙幣処理装置１ａは、紙幣投入口１１から投入された紙幣を装置内に導入する入金部１４、紙幣を紙幣払出口１２に繰り出す出金部１５、回収庫１３、紙幣の真贋及び金種を判別する鑑別部１６、金種毎の紙幣を収納する紙幣収納庫１７を有する。紙幣収納庫１７は、千円紙幣を収納する千円紙幣収納庫１７ａ、五千円紙幣を収納する五千円紙幣収納庫１７ｂ、及び、一万円紙幣を収納する一万円紙幣収納庫１７ｃを有する。上述した入金部１４、出金部１５、回収庫１３、鑑別部１６、紙幣収納庫１７は、紙幣搬送機構１８によって接続される。
【００２１】
紙幣投入口１１に投入された紙幣は、入金部１４の図示しない投入検出センサによって検出された後、紙幣搬送機構１８によって鑑別部１６に搬送される。紙幣搬送機構１８は、鑑別部１６によって紙幣が正貨でないと判別された場合には、この紙幣を入金部１４に戻す。一方、紙幣搬送機構１８は、鑑別部１６によって紙幣が正貨であると判別された場合、この紙幣を、金種に応じた紙幣収納庫１７に収納する。
【００２２】
一方、出金指示があった場合、紙幣搬送機構１８は、対応する金種の紙幣を紙幣収納庫１７から取り出し、出金部１５を介して紙幣払出口１２から出金する。また、後述する紙幣交換モード処理または入金紙幣回収モード処理を行う場合、あるいは紙幣収納庫１７に収納された紙幣を外部に回収する場合、紙幣搬送機構１８は、紙幣を回収庫１３に搬送して収納する。
【００２３】
紙幣搬送機構１８は、主搬送路Ｌ１と分岐搬送路Ｌ２とを切り換える切換部１８ａ、主搬送路Ｌ１と千円紙幣収納庫１７ａとの分岐を切り換える切換部１８ｂ、主搬送路Ｌ１と五千円紙幣収納庫１７ｂとの分岐を切り換える切換部１８ｃ、分岐搬送路Ｌ２と出金部１５との分岐を切り換える切換部１８ｄを有する。
【００２４】
（紙幣処理装置の制御系）
図３に示すように、制御部４０には、外部の上位装置であるＰＯＳレジスタ装置２が接続される。制御部４０には、表示部２２、操作部２３、記憶部３０、紙幣収納機構１０が接続される。操作部２３は、紙幣交換モード選択部２３ａ及び入金紙幣回収モード選択部２３ｂを有する。記憶部３０は、入出金情報３１を保持する。制御部４０は、入出金制御部４１及びモード制御部４２を有する。紙幣収納機構１０は、図２に示したハード構成に対応し、少なくとも紙幣搬送機構１８、鑑別部１６、紙幣収納庫１７、及び回収庫１３を含む。なお、ＰＯＳレジスタ装置２は、操作表示部５３を有し、操作部２３と同様に、紙幣交換モード選択部５３ａ及び入金紙幣回収モード選択部５３ｂを有する。
【００２５】
制御部４０は、操作部２３を通じて指令が与えられた場合、あるいは鑑別部１６から検出信号が与えられた場合、さらにはＰＯＳレジスタ装置２から各種指令が与えられた場合、記憶部３０に格納したプログラムや初期データに基づいて表示部２２の表示制御、紙幣搬送機構１８の駆動制御を行うものである。
【００２６】
入出金制御部４１は、ＰＯＳレジスタ装置２から入金許可指令が与えられた後に紙幣が投入された場合に、入金許可指令に従って紙幣の入金処理を行い、かつＰＯＳレジスタ装置２から出金指令が与えられた場合に、出金指令に従って紙幣の出金処理を行うものである。また、入出金制御部４１は、これらの入金処理及び出金処理を実行している間、実施した入金処理及び出金処理の内容を入出金情報３１として逐次、記憶部３０に格納する処理も行う。また、入出金制御部４１は、在高管理などを行う。
【００２７】
紙幣交換モード選択部２３ａ，５３ａは、入金された汚損紙幣を釣銭として出金せず回収のみを行う回収庫１３に収納し、その後、入金された汚損紙幣と同額の紙幣を紙幣収納庫１７から出金することによって、入金された汚損紙幣と汚損していない紙幣との交換を行う紙幣交換モードを選択するボタンである。
【００２８】
入金紙幣回収モード選択部２３ｂ，５３ｂは、入金された汚損紙幣を釣銭として出金せず回収のみを行う回収庫１３に収納する入金紙幣回収モードを選択するボタンである。
【００２９】
モード制御部４２は、紙幣交換モードが選択され、かつ、入金された汚損紙幣が正貨である場合、入金された汚損紙幣を釣銭として出金せず回収のみを行う回収庫１３に収納し、その後、入金された汚損紙幣と同額の紙幣を紙幣収納庫１７から出金し、入金された汚損紙幣の交換を行うように紙幣収納機構１０を制御する。また、モード制御部４２は、入金紙幣回収モードが選択され、かつ、入金された汚損紙幣が正貨である場合、入金された汚損紙幣を釣銭として出金せず回収のみを行う回収庫１３に収納するように紙幣収納機構１０を制御する。
【００３０】
（紙幣交換モード処理）
次に、制御部４０による紙幣交換モード処理について説明する。図４は、制御部４０による紙幣交換モード処理手順を示すフローチャートである。図４に示すように、モード制御部４２は、まず、紙幣交換モード選択部２３ａまたは紙幣交換モード選択部５３ａが押下されて、紙幣交換モードが選択されているか否かを判断する（ステップＳ１０１）。紙幣交換モードが選択されている場合（ステップＳ１０１，Ｙｅｓ）、さらに、モード制御部４２は、鑑別部１６によって、入金された汚損紙幣が正貨であると判別されたか否かを判断する（ステップＳ１０２）。
【００３１】
モード制御部４２は、入金された汚損紙幣が正貨であると判別された場合（ステップＳ１０２，Ｙｅｓ）、紙幣搬送機構１８を制御して、入金された汚損紙幣を回収庫１３に搬送して収納する（ステップＳ１０３）。
【００３２】
その後、モード制御部４２は、鑑別部１６が判別した金種をもとに、紙幣搬送機構１８を制御して、入金された汚損紙幣と同額の紙幣を紙幣収納庫１７から搬送し、出金部１５を介して紙幣払出口１２から出金する（ステップＳ１０４）。これによって、入金された汚損紙幣が交換されたことになる。
【００３３】
その後、入出金制御部４１は、入出金情報３１を更新し（ステップＳ１０５）、本処理を終了し、上述した処理を繰り返す。
【００３４】
一方、紙幣交換モードが選択されていない場合（ステップＳ１０１，Ｎｏ）には、本処理を終了し、上述した処理を繰り返す。また、入金された汚損紙幣が正貨でないと判別された場合（ステップＳ１０２，Ｎｏ）、入金された汚損紙幣を、入金部１４を介して紙幣投入口１１から返却し（ステップＳ１０６）、本処理を終了し、上述した処理を繰り返す。
【００３５】
例えば、入金された汚損紙幣が千円紙幣である場合、図５（ａ）に示すように、まず、紙幣投入口１１、入金部１４を介して鑑別部１６で、汚損紙幣の真贋及び金種が判別される。モード制御部４２は、汚損紙幣が正貨である場合、切換部１８ａを介して主搬送路Ｌ１から分岐搬送路Ｌ２に搬送し、さらに切換部１８ｄを介して汚損紙幣を回収庫１３に搬送して収納する。その後、図５（ｂ）に示すように、モード制御部４２は、鑑別部１６が判別した金種の紙幣を収納している千円紙幣収納庫１７ａから千円紙幣を取り出し、取り出した千円紙幣を、切換部１８ａを介して主搬送路Ｌ１から分岐搬送路Ｌ２に搬送し、さらに切換部１８ｄを介して出金部１５に搬送し、紙幣払出口１２から出金する。これによって、店員が汚損していると判断した汚損紙幣（千円紙幣）は、千円紙幣収納庫１７ａの千円紙幣に交換される。しかも、汚損紙幣は回収庫１３に収納されるため、釣銭として出金されることはない。
【００３６】
（入金紙幣回収モード処理）
次に、制御部４０による入金紙幣回収モード処理について説明する。図６は、制御部４０による入金紙幣回収モード処理手順を示すフローチャートである。図６に示すように、モード制御部４２は、まず、入金紙幣回収モード選択部２３ｂまたは入金紙幣回収モード選択部５３ｂが押下されて、入金紙幣回収モードが選択されているか否かを判断する（ステップＳ２０１）。入金紙幣回収モードが選択されている場合（ステップＳ２０１，Ｙｅｓ）、さらに、モード制御部４２は、鑑別部１６によって、入金された汚損紙幣が正貨であると判別されたか否かを判断する（ステップＳ２０２）。
【００３７】
モード制御部４２は、入金された汚損紙幣が正貨であると判別された場合（ステップＳ２０２，Ｙｅｓ）、紙幣搬送機構１８を制御して、入金された汚損紙幣を回収庫１３に搬送して収納する（ステップＳ２０３）。これによって、入金された汚損紙幣は、出金されることなく、回収庫１３に収納されることになる。
【００３８】
その後、入出金制御部４１は、入出金情報３１を更新し（ステップＳ２０４）、本処理を終了し、上述した処理を繰り返す。
【００３９】
一方、入金紙幣回収モードが選択されていない場合（ステップＳ２０１，Ｎｏ）には、本処理を終了し、上述した処理を繰り返す。また、入金された汚損紙幣が正貨でないと判別された場合（ステップＳ２０２，Ｎｏ）、入金された汚損紙幣を、入金部１４を介して紙幣投入口１１から返却し（ステップＳ２０５）、本処理を終了し、上述した処理を繰り返す。
【００４０】
この入金紙幣回収モード処理は、図５（ａ）に示した処理によって完了する。この場合、鑑別部１６が判別した真贋結果は、汚損紙幣を回収庫１３に収納するか否かの条件となる。また、鑑別部１６が判別した金種は、入出金情報３１として利用される。
【００４１】
なお、紙幣交換モードまたは入金紙幣回収モードの選択状態の維持は、紙幣交換モード選択部２３ａ，５３ａまたは入金紙幣回収モード選択部２３ｂ，５３ｂの押下後、所定時間としてもよいし、再度、紙幣交換モード選択部２３ａ，５３ａまたは入金紙幣回収モード選択部２３ｂ，５３ｂの押下によって選択状態を消滅させてもよい。また、この選択状態の維持は、紙幣交換モード処理または入金紙幣回収モード処理の終了によって消滅させるようにしてもよい。このような選択状態の維持は、表示部２２または操作表示部５３において、選択状態が維持されていることを、例えばＬＥＤ表示などによって表示出力することが好ましい。
【００４２】
（モード制御処理の変形例）
ここで、鑑別部１６と切換部１８ａとの間の距離が短い場合、あるいは、切換部１８ａの搬送路切換処理に時間がかかる場合、入金された汚損紙幣を直接、回収庫１３に搬送せず、一旦、汚損紙幣を紙幣収納庫１７に一時収納し、その後、一時収納された汚損紙幣を回収庫１３に収納するようにしてもよい。
【００４３】
図７は、制御部４０による紙幣交換モード処理手順の変形例を示すフローチャートである。図７に示すように、モード制御部４２は、まず、紙幣交換モード選択部２３ａまたは紙幣交換モード選択部５３ａが押下されて、紙幣交換モードが選択されているか否かを判断する（ステップＳ３０１）。紙幣交換モードが選択されている場合（ステップＳ３０１，Ｙｅｓ）、さらに、モード制御部４２は、鑑別部１６によって、入金された汚損紙幣が正貨であると判別されたか否かを判断する（ステップＳ３０２）。
【００４４】
モード制御部４２は、入金された汚損紙幣が正貨であると判別された場合（ステップＳ３０２，Ｙｅｓ）、紙幣搬送機構１８を制御して、鑑別部１６が判別した金種をもとに、入金された汚損紙幣と同額の紙幣を収納する紙幣収納庫１７以外の紙幣収納庫１７に、入金された汚損紙幣を一時収納する（ステップＳ３０３）。例えば、汚損紙幣が千円紙幣である場合、千円紙幣収納庫１７ａ以外の五千円紙幣収納庫１７ｂまたは一万円紙幣収納庫１７ｃに汚損紙幣を一時収納する。これは、紙幣交換モードの場合、千円紙幣収納庫１７ａから交換する千円紙幣を取り出す必要があるからである。
【００４５】
その後、モード制御部４２は、紙幣搬送機構１８を制御して、入金された汚損紙幣と同額の紙幣を紙幣収納庫１７から搬送し、出金部１５を介して紙幣払出口１２から出金する（ステップＳ３０４）。これによって、入金された汚損紙幣が交換されたことになる。
【００４６】
その後、モード制御部４２は、紙幣搬送機構１８を制御して、一時収納された汚損紙幣を回収庫１３に搬送して収納する（ステップＳ３０５）。
【００４７】
その後、入出金制御部４１は、入出金情報３１を更新し（ステップＳ３０６）、本処理を終了し、上述した処理を繰り返す。
【００４８】
一方、紙幣交換モードが選択されていない場合（ステップＳ３０１，Ｎｏ）には、本処理を終了し、上述した処理を繰り返す。また、入金された汚損紙幣が正貨でないと判別された場合（ステップＳ３０２，Ｎｏ）、入金された汚損紙幣を、入金部１４を介して紙幣投入口１１から返却し（ステップＳ３０７）、本処理を終了し、上述した処理を繰り返す。
【００４９】
例えば、入金された汚損紙幣が千円紙幣である場合、図８（ａ）に示すように、まず、紙幣投入口１１、入金部１４を介して鑑別部１６で、汚損紙幣の真贋及び金種が判別される。モード制御部４２は、汚損紙幣が正貨である場合、汚損紙幣を、切換部１８ａを介して主搬送路Ｌ１上をそのまま搬送させ、千円紙幣収納庫１７ａ以外の五千円紙幣収納庫１７ｂに一時収納する。
【００５０】
その後、図８（ｂ）に示すように、モード制御部４２は、鑑別部１６が判別した金種の紙幣を収納している千円紙幣収納庫１７ａから千円紙幣を取り出し、取り出した千円紙幣を、切換部１８ａを介して主搬送路Ｌ１から分岐搬送路Ｌ２に搬送し、さらに切換部１８ｄを介して出金部１５に搬送し、紙幣払出口１２から出金する。
【００５１】
その後、図８（ｃ）に示すように、モード制御部４２は、五千円紙幣収納庫１７ｂに一時収納されている汚損紙幣を取り出し、取り出した汚損紙幣（千円紙幣）を、切換部１８ａを介して主搬送路Ｌ１から分岐搬送路Ｌ２に搬送し、さらに切換部１８ｄを介して回収庫１３に搬送して収納する。
【００５２】
この変形例では、鑑別部１６と切換部１８ａとの間の距離が短い場合、あるいは、切換部１８ａの搬送路切換処理に時間がかかる場合であっても、切換部１８ａの切換を確実に行うことができる。また、汚損紙幣の収納に優先して、交換すべき紙幣を出金しているので、操作者に対する紙幣交換処理をスムーズに行うことができる。
【００５３】
なお、上述した変形例は、入金紙幣回収モード処理にも適用できる。具体的には、図７のステップＳ３０１の紙幣交換モードが入金紙幣回収モードとなり、ステップＳ３０４の出金処理を行わない。また、図８に示す入金紙幣回収モード処理の具体例では、図８（ｂ）の出金処理を行わない。ただし、入金紙幣回収モード処理では、図７のステップＳ３０３あるいは図８（ａ）で一時収納する紙幣収納庫１７は、いずれの紙幣収納庫１７であってもよい。
【００５４】
また、上述した実施の形態及び変形例では、汚損紙幣を回収庫１３に収納するようにしているが、紙幣収納庫１７の１つを、汚損紙幣を収納する回収領域としてもよい。例えば、図２に示した五千円紙幣収納庫１７ｂを、五千円紙幣と一万円紙幣とを混合して収納する混合収納庫とし、一万円紙幣収納庫１７ｃを、汚損紙幣を収納する回収庫としてもよい。また、別途、汚損紙幣を収納する専用の回収庫を新たに設けるようにしてもよい。
【００５５】
上述した実施の形態及び変形例では、紙幣交換モード処理及び入金紙幣回収モード処理によって、操作者が汚損紙幣と認識した汚損紙幣を顧客に釣銭として出金しないようにしているので、顧客の店に対する印象悪化を抑止することができる。
【００５６】
また、紙幣交換モード処理を適用することによって、紙幣の入出金を繰り返すことなく、交換された釣銭（紙幣）を顧客にスムーズに渡すことができる。
【００５７】
さらに、上述した実施の形態及び変形例では、紙幣処理装置が汚損紙幣か否かを判別するセンサを必要とせず、紙幣の真贋及び金種を判別する鑑別部１６を用いているので、簡易な構成で、汚損紙幣を釣銭として出金しない処理を行うことができる。
【符号の説明】
【００５８】
１  貨幣処理装置
１ａ  紙幣処理装置
１ｂ  硬貨処理装置
２  ＰＯＳレジスタ装置
１０  紙幣収納機構
１１  紙幣投入口
１２  紙幣払出口
１３  回収庫
１４  入金部
１５  出金部
１６  鑑別部
１７  紙幣収納庫
１７ａ  千円紙幣収納庫
１７ｂ  五千円紙幣収納庫
１７ｃ  一万円紙幣収納庫
１８  紙幣搬送機構
１８ａ〜１８ｄ  切換部
２１  硬貨投入口
２２  表示部
２３  操作部
２３ａ，５３ａ  紙幣交換モード選択部
２３ｂ，５３ｂ  入金紙幣回収モード選択部
２４  硬貨出金口
２５  受け皿
２６  硬貨返却口
３０  記憶部
３１  入出金情報
４０  制御部
４１  入出金制御部
４２  モード制御部
５３  操作表示部
Ｌ１  主搬送路
Ｌ２  分岐搬送路
【図１】
0006623552.tif 000002
【図２】
0006623552.tif 000003
【図３】
0006623552.tif 000004
【図４】
0006623552.tif 000005
【図５】
0006623552.tif 000006
【図６】
0006623552.tif 000007
【図７】
0006623552.tif 000008
【図８】
0006623552.tif 000009